(57)【特許請求の範囲】
【請求項１】
一端が開口した筒状本体を備え、該筒状本体には、金管楽器の管に設けられた唾液排出孔と気密に接続可能な接続口が設けられ、該接続口は筒状本体の外部から内部に連通しており、
前記筒状本体の内部には前記接続口を介して前記唾液排出孔から筒状本体の内部に入る金管楽器内の唾液等を吸収する吸水部材が収容され、
前記開口に気密に装着可能な蓋部材が設けられている
ことを特徴とする金管楽器用唾液溜め具。
【請求項２】
上記筒状本体における接続口の周囲には、装着すべき金管楽器の唾液排出孔の周囲の形状に合致するように形成されたフランジ部が設けられている
ことを特徴とする請求項１に記載の金管楽器用唾液溜め具。
【請求項３】
前記フランジ部を介して金管楽器に着脱可能に取り付けられる
ことを特徴とする請求項１又は２に記載の金管楽器用唾液溜め具。
【請求項４】
前記フランジ部を介して金管楽器に一体的に取り付けられる
ことを特徴とする請求項１又は２に記載の金管楽器用唾液溜め具。
【請求項５】
請求項１〜４の何れか一項に記載の金管楽器用唾液溜め具が取り付けられていることを特徴とする金管楽器。
【発明の詳細な説明】
【技術分野】
【０００１】
本発明は、金管楽器の管内に溜まる唾液及び呼気中水分を処理するための金管楽器用唾液溜め具及び該唾液溜め具が取り付けられた金管楽器に関する。
【背景技術】
【０００２】
トランペット、ホルン、ユーフォニアム又はチューバ等のような金管楽器は、奏者がマウスピースから息を吹き込んで音を奏でるため、使用中に管の中に唾液や呼気中の水分が溜まる。
このように使用中に管の中に溜まった唾液や呼気中水分（以下、唾液等と称する。）は演奏の妨げになるため、定期的に管の外に排出する必要がある。
このため、金管楽器には唾液等を排出するための孔が管に予め設けられており、この孔をウォーターキーで塞いでいる。
従って、奏者は、定期的に、ウォーターキーを開いて前記排出孔から唾液等を管の外に排出しなければならない。この行為は「唾抜き」と呼ばれている。
【０００３】
実際は、使用中に金管楽器の管内に溜まる水分の多くは呼気中の水分であり唾液の量は僅かであるため、床等に直接排出しても衛生上それ程問題にはならないと言われているが、周囲には唾液を床に直接排出しているように見えるため不衛生である印象を与え、かつ、不快に感じさせる。
【０００４】
このため唾抜きを床に直接行うことは少なく、通常、雑巾やティッシュ等を床に置いて、その上に唾抜きを行うが、演奏を聴いている観客にはステージの床に置かれた雑巾等は見えないため、結局、唾抜きをすると唾液を直接床に排出しているように見え、見苦しく不快な印象を与えることに変わりはない。また、実際、演奏の合間に唾抜きを行うため、丁寧に唾抜きを行う余裕はなく、排出された唾液等が床に置いた雑巾等から外れることも多く、さらに、演奏時間が長い場合には排出される唾液等の量も多いため雑巾等から唾液等が染み出てしまうこともある。
【０００５】
さらに、演奏後の片付けの時に、唾液等が染み込んだ雑巾等を片づける作業は、多くが呼気中水分であり唾液の量はそれ程多くないことを理解していたとしても、それが他人のものであれば相当に不快であり精神的にも苦痛である。
【０００６】
上記した問題を解決するために、個人的にも対外的に快適な衛生空間を確保することができる吹奏管楽器用の使い捨て唾液入れが提案されている（特許文献１参照）。
【先行技術文献】
【特許文献】
【０００７】
【特許文献１】特開２０００−３９８８２号公報
【発明の概要】
【発明が解決しようとする課題】
【０００８】
上記した使い捨て唾液入れは、紙製の器の底部に、水分吸収体を貼り付け、持ち運び用の取っ手を付けてなるものであり、床に置いて使用すれば床を汚さずに衛生的であり、底部に水分吸収体を設けているので、もし誤って蹴飛ばしてしまっても周囲に唾液等を飛散させることがなく、取っ手が付いているので片づける時に唾液等が溜まっている部分に手が触れることがなく不快な思いをすることがない。
【０００９】
しかし、上記した使い捨て唾液入れは床に置いて使用する点では雑巾等と変わらず、演奏を聴いている観客にはステージの床に置かれた唾液入れが見えないため、奏者が唾抜きをする行為が唾液を直接床に排出しているように見え、見苦しく不快な印象を与えることに変わりはない。また、上記したように演奏の合間に唾抜きを行うため、丁寧に唾抜きを行う余裕はなく、排出された唾液等が床に置いた唾液入れから外れる可能性もある。
【００１０】
本発明は、上記した奏者の唾抜き作業によって生じる問題点を解決することができる金管楽器用唾液溜め具及び該唾液溜め具が取り付けられた金管楽器を提供することを目的としている。
【課題を解決するための手段】
【００１１】
上記した目的を達成するために本発明に係る金管楽器用唾液溜め具は、一端が開口した筒状本体を備え、該筒状本体には、金管楽器の管に設けられた唾液等排出孔が気密に装着可能な接続口が設けられ、該接続口は筒状本体の内部に連通しており、前記筒状本体の内部には唾液等を吸収する吸水性部材が収容され、前記開口に気密に装着可能な蓋部材が設けられていることを特徴とする。
【００１２】
好ましくは、上記筒状本体における接続口の周囲には、装着すべき金管楽器の唾液等排出孔の周囲の形状に合致するように形成されたフランジ部が設けられ得る。
【００１３】
また、上記した目的を達成するために本発明に係る金管楽器は、上記金管楽器用唾液溜め具の接続口が当該金管楽器の唾液等排出孔に気密に装着されていることを特徴とする。
【発明の効果】
【００１４】
本発明に係る金管楽器用唾液溜め具は、金管楽器の管に設けられた唾液等排出孔に接続口を気密に装着することで、当該金管楽器の使用中に管内に溜まる唾液等が前記接続口を介して筒状本体の内部に入り前記吸水性部材で吸収されるので金属製楽器の管内に唾液等が溜まることがない。
また、唾液等排出孔に接続口が気密に装着され、かつ、筒状本体の開口には蓋部材が気密に装着されているので、使用中にマウスピースから吹き込まれた空気が管外に漏れることはない。
さらに、本発明に係る金管楽器用唾液溜め具は、使用後に蓋部材を外して筒状本体の内部から吸水性部材を取出して洗浄又は交換することにより繰り返し使用することが可能であるためコストも安価である。
そしてなにより、本発明に係る金管楽器用唾液溜め具は、上記したように構成されているため、奏者が演奏中に、所謂、「唾抜き」を行う必要がなくなるので、奏者の負担が減り、演奏会場が汚れることなく、かつ、演奏を聴く観客に見苦しく不快な印象を与えることがなくなるという顕著な効果を奏する。
【図面の簡単な説明】
【００１５】
【図１】（ａ）は本発明に係る唾液溜め具を構成する筒状本体の上面図であり、（ｂ）は図１（ａ）におけるＡ−Ａ断面図であり、（ｃ）は本発明に係る唾液溜め具の正面図（図１（ａ）における左側から見た図）である。
【図２】（ａ）は本発明に係る唾液溜め具を構成する蓋部材の上面図であり、（ｂ）は本発明に係る唾液溜め具の背面図（図２（ａ）における右側から見た図）である。
【図３】筒状本体に蓋部材を装着した状態を示す唾液溜め具の側面図である。
【図４】本発明に係る唾液溜め具を装着可能な金管楽器の一実施例としてのトランペットの概略側面図である。
【図５】本発明に係る唾液溜め具を装着した状態を示すトランペットの概略側面図である。
【発明を実施するための形態】
【００１６】
以下、添付図面を参照して本発明に係る金管楽器用唾液溜め具（以下、単に「唾液溜め具」と称する。）の構成について説明していく。
図１（ａ）は本発明に係る唾液溜め具を構成する筒状本体の上面図であり、図１（ｂ）は図１（ａ）におけるＡ−Ａ断面図であり、図１（ｃ）は本発明に係る唾液溜め具の正面図（図１（ａ）における左側から見た図）である。
図２（ａ）は本発明に係る唾液溜め具を構成する蓋部材の上面図であり、図２（ｂ）は本発明に係る唾液溜め具の背面図（図２（ａ）における右側から見た図）である。
図３は、筒状本体に蓋部材を装着した状態を示す唾液溜め具の側面図である。
【００１７】
図１〜図３に示すように、本発明に係る唾液溜め具１は、筒状本体２と蓋部材１０とから成る。
筒状本体２は、一端に開口部３を備えた有底筒状部材であり、一定の強度を持った材料、例えば、金属又はプラスチックから成る。筒状本体２の側壁には金管楽器に取り付けられるフランジ部４が形成されており、該フランジ部４の底部には金管楽器に設けられた唾液等排出孔が気密に接続可能な接続口５が形成されている。前記フランジ部４の内壁は装着すべき金管楽器の管の形状に合致するよう湾曲した形状に形成されている（図１（ｂ）及び（ｃ）参照）。
前記接続口５は筒状本体１の内部に連通しており、筒状本体１の内部にはスポンジ等の吸水部材６が充填されている。
吸水部材６は、筒状本体１の内部形状に合致する円柱状の形状であり、使用中に金管楽器の唾液等排出孔及び接続口５から筒状本体１の内部に入る唾液等を吸収する。
蓋部材１０は、筒状本体１の外径と合致する内径を有する有底筒状部材であり、その開口部１１を筒状本体１の開口部３に装着することで筒状本体１に気密に装着される。
【００１８】
上記したように構成された唾液溜め具１は、その接続口５が金管楽器の唾液等排出孔に気密に接続されるようにフランジ部４を金管楽器の管に装着して利用される。
図４は、本発明に係る唾液溜め具を装着可能な金管楽器の一実施例としてのトランペットの概略側面図である。
図面に示すように、このトランペットは、朝顔管２０、吹込管２１及び主管抜差管２２等を備えた管本体２３を有し、朝顔管２０の先端には朝顔２４が形成され、吹込管２１の端部にはマウスピース２５が装着される。図中、符号２６はフィンガーリングであり、符号２７は主管抜差管２２に設けられた唾液排出孔である。従来のトランペットには、唾液排出孔２７を開閉するためのウォーターキーが設けられているが、本実施例では、唾液排出孔２７に唾液溜め具１が装着されるためウォーターキーは設けられていない。
上記したように構成されたトランペットには、その唾液排出孔２７に接続口５が気密に装着されるように、トランペットの管本体２３にフランジ部４を固定することで唾液溜め具１が装着される（図５参照）。
本実施例では、唾液溜め具１のフランジ部４が、装着すべきトランペットの管の形状に合致する形状に形成されているため唾液溜め具１はトランペットに違和感なく一体的に装着され得る。
また、唾液溜め具１は、その筒状本体２の内部に吸水部材６が充填されており、筒状本体２には蓋部材１０が気密に装着されているので、使用中にマウスピースから吹き込んだ空気が漏れ出ることはない。
演奏中にトランペットの管本体２３の内部に溜まる唾液等（唾液や呼気水分）は、トランペットの唾液排出孔２７及び唾液溜め具１の接続口５を介して唾液溜め具１の吸水部材６で吸水される。よって、所謂、「唾抜き」をしなくても、トランペットの管本体２３の内部に唾液等が溜まることがない。
【００１９】
前記唾液溜め具１は、金管楽器に一体に接続してもよいし、着脱可能に接続してもよい。
何れの場合も、演奏後に、蓋部材１０を外して筒状本体２の中から吸水部材６を取出し、これを洗浄又は交換することで唾液溜め具１は繰り返し使用することができる。
上記した実施例では、唾液溜め具１はトランペットに取り付けられているが、唾液溜め具１が取り付けられ得る楽器はトランペットに限定されることなく、管の中に唾液や呼気水分が溜まる金管楽器であって、唾抜きのための唾液排出孔が設けられている金管楽器であれば何れの楽器にも取り付けることができる。
さらに、唾液溜め具１の筒状本体２の内部に充填される吸水部材６はスポンジに限定されることなく、唾液等の水分を吸収し得る部材であれば任意の部材でよく、例えば、吸い取り紙を筒状に丸めたものでもよい。
また、上記した実施例では吸水部材６は、筒状本体２の内部に完全に収まる寸法であるが、吸水部材６の寸法は本実施例に限定されることなく、例えば、充填した時に筒状本体２の開口部３から少し突出するような寸法で形成してもよい。このようにすることで、吸水部材６を開口部３から突出している部分を持って引き抜くことができるので、吸水部材６の洗浄及び交換が容易になるという効果を奏する。
【符号の説明】
【００２０】
１  唾液溜め具
２  筒状本体
３  開口部
４  フランジ部
５  接続口
６  吸水部材
１０  蓋部材
１１  開口部
２０  朝顔管
２１  吹込管
２２  主管抜差管
２３  管本体
２４  朝顔
２５  マウスピース
２６  フィンガーリング
２７  唾液排出孔
【図１】
0006043257.tif 000002
【図２】
0006043257.tif 000003
【図３】
0006043257.tif 000004
【図４】
0006043257.tif 000005
【図５】
0006043257.tif 000006